(57)【要約】【課題】針付縫合糸を構成するアイレス針に特別な形状の穴を形成することなく且つマルチフィラメント糸からなる縫合糸を用いてアイレス針と縫合糸とを接合させたとき、アイレス針と縫合糸との段差を小さくする。【解決手段】針付縫合糸Ａは、縫合糸としてのマルチフィラメント糸２とアイレス針１とをかしめ接合して構成され、マルチフィラメント糸２のアイレス針１に対してかしめ接合された接合部に於ける一部の繊維が除去されていることで、縮径部２ｂの太みが糸部２ａの太みよりも小さくなっている。【選択図】        図１
2006061453.tif 000002
【特許請求の範囲】
【請求項１】
マルチフィラメント糸からなる縫合糸とアイレス針とをかしめ接合して構成した針付縫合糸であって、マルチフィラメント糸のアイレス針に対してかしめ接合された接合部に於ける一部の繊維が除去されていることで該マルチフィラメント糸の太みが他の部分の太みよりも小さくなっていることを特徴とする針付縫合糸
【発明の詳細な説明】
【技術分野】
【０００１】
本発明は、アイレス針に縫合糸を接合させて構成され、アイレス針によって生体組織を刺通させて縫合糸によって患部を縫合し或いは血管を結紮する針付縫合糸に関し、特に、アイレス針の太みと縫合糸の太みとの差を小さくさせた針付縫合糸に関するものである。
【背景技術】
【０００２】
繊細な患部の縫合や血管を結紮する際に、元端面に盲穴を形成したアイレス針を利用し、該アイレス針の盲穴にモノフィラメントやマルチフィラメントからなる縫合糸の端部を差し込んでかしめることで接合させた針付縫合糸を用いることがある。ナイロンに代表されるモノフィラメント糸は、結び難くほどけ易いものの、抗張力が大きいという特徴を有しており、シルクに代表されるマルチフィラメント糸は、結び易くほどけ難いものの、抗張力が小さいという特徴を有する。
【０００３】
上記針付縫合糸を用いて縫合，結紮を行う場合、アイレス針と縫合糸との太みに差があると、組織を傷つけたり、患部を刺通したときに形成された穴から血液や体液が滲み出す虞がある。このため、アイレス針と縫合糸との間に段差のない針付縫合糸を得ることを目的として幾つかの技術が開発され、提案されている。
【０００４】
例えば、特許文献１に記載された技術は、アイレス針に形成した挿入穴の壁の厚さを該挿入穴の奥側から開口側に向かって薄くなるようにレーザ加工或いは旋盤加工しておき、この挿入穴に縫合糸を挿入してかしめたとき、アイレス針のかしめ部分は縫合糸側に向かって径が小さくなるように傾斜しており、これにより、アイレス針の端部と縫合糸の間に段差を無くしたものである。
【０００５】
また特許文献２に記載された技術は、アイレス針の元端面に形成する穴を、放電加工によって入口部の径が奥部の径よりも大きくなるようにしたものであり、この穴に縫合糸を挿入してかしめることで、かしめ部分に元端面側に向かって径が小さくなるような傾斜を形成し、これにより、アイレス針の元端面部分に於ける太みと縫合糸の太みとの間の段差を小さくしたものである。
【０００６】
上記の如く、特許文献１，２に記載された技術は何れもアイレス針側に形成された穴の形状を規定することによって、該穴に縫合糸を挿入してかしめたとき、かしめ部分の形状を端面側に向けて先細状にしてアイレス針と縫合糸との段差を解消しようとするものである。
【０００７】
これに対し、特許文献３に記載された技術は、モノフィラメントを加熱すると共に加熱部分を延伸して直径を小さくし、更に、直径を小さくした部分を切断して縫合糸として利用するものである。そして、アイレス針に形成した穴にモノフィラメントの直径を小さくした部分を挿入してかしめて接合することで、モノフィラメントの非延伸部分の径とアイレス針のかしめ部分の径との段差を小さくしたものである。
【０００８】
【特許文献１】実公昭６０−４１２１３号公報
【特許文献２】特公平１−３４６２５号公報
【特許文献３】特許第２９６５６６７号公報
【発明の開示】
【発明が解決しようとする課題】
【０００９】
特許文献１，２の技術では、アイレス針の端部に端面側から奥に向かって径が小さくなるような穴を加工したり、或いはアイレス針の端面に向かって径が小さくなるように外周面を加工することになる。しかし、脳外科手術のように繊細な縫合や結紮を行う際に用いるような極めて径が小さいアイレス針を製造する場合、このような加工を行うことが困難になり、製造コストが増大するという問題を生じる。また段差をなくすために穴の壁厚を薄くするのに伴って縫合糸に対する保持力が小さくなってしまうという問題も生じている。
【００１０】
また特許文献３の技術では、縫合糸がモノフィラメントで且つ加熱して延伸し得る素材、例えばナイロン等に限定されるため、例えばシルク，ポリエステル等のマルチフィラメント糸からなる編み糸や撚り糸に適用することができないという問題がある。
【００１１】
本発明の目的は、アイレス針に特別な形状の穴を形成することなく且つマルチフィラメント糸からなる縫合糸を用いてアイレス針と縫合糸とを接合させたとき、アイレス針と縫合糸との段差を小さくすることが出来る針付縫合糸を提供することにある。
【課題を解決するための手段】
【００１２】
上記課題を解決するために本発明に係る針付縫合糸は、マルチフィラメント糸からなる縫合糸とアイレス針とをかしめ接合して構成した針付縫合糸であって、マルチフィラメント糸のアイレス針に対してかしめ接合された接合部に於ける一部の繊維が除去されていることで該マルチフィラメント糸の太みが他の部分の太みよりも小さくなっているものである。
【発明の効果】
【００１３】
上記本発明に係る針付縫合糸では、縫合糸を構成するマルチフィラメント糸の一部の繊維を除去することによって、該除去部分の太さを他の部分の太さよりも細くすることが出来る。このため、マルチフィラメント糸の一部の繊維を除去して細くした部分をアイレス針に形成された穴に挿入してかしめたとき、マルチフィラメント糸の太い部分がアイレス針の端部と対向して該端部との段差を小さくすることが出来る。
【００１４】
特に、アイレス針に形成する穴の形状を規定する必要がないため、該穴の壁厚を薄くする必要がなく、穴にマルチフィラメント糸を挿入してかしめたとき、挿入されたマルチフィラメント糸に対する保持力を確保することが出来る。
【発明を実施するための最良の形態】
【００１５】
以下、本発明に係る針付縫合糸の最も好ましい実施形態について説明する。本発明に係る針付縫合糸は、生体組織を刺通する針であって一方側の端部の端面から盲穴を形成したアイレス針と、シルクやポリエステル等の繊維を編んで或いは撚って構成されたマルチフィラメント糸と、を接合して構成されたものであり、アイレス針の軸心とマルチフィラメント糸の軸心とが一致し、且つアイレス針の太みとマルチフィラメント糸との太みとの差を小さくし或いは実質的になくすことで、生体組織の損傷を防ぎ、且つ生体組織からの血液や体液の滲み出しを防ぐようにしたものである。
【００１６】
特に、アイレス針の太みとマルチフィラメント糸の太みとの差をなくすに際し、該マルチフィラメント糸の繊維の一部を除去して部分的に太みを小さくし、この太みの小さい部分をアイレス針に形成した穴に挿入してかしめることで、太みの大きいマルチフィラメント糸をアイレス針に接合することが可能となり、これにより、アイレス針とマルチフィラメントとの太みの差を小さくし、或いは実質的になくすようにしたものである。
【００１７】
アイレス針は、縫合し或いは結紮すべき部位に於ける生体組織を切り開き、或いは押し開いて縫合糸を通過させる機能を有するものであり、この機能を有するものであれば利用することが可能である。一般的なアイレス針は、先端部分に針先部が形成され、針先部から連続して胴部が形成され、該胴部に連続した他方の端部側がかしめ部を含む元端部として形成され、元端部の端面（元端面）に軸心に沿って（アイレス針の長手方向）縫合糸を挿入する穴が形成されている。前記穴は、縫合糸の太みに対応して深さが設定されており、元端部に於ける穴の深さに対応した部分がかしめ部分となる。
【００１８】
アイレス針は、適用すべき生体組織に対応させて種々の外形形状や断面形状及び太み等を含む仕様が設定されており、形状や寸法等は一義的に限定されるべきものではない。例えば、鋭い針先部から鋭い切刃を形成した断面が多角形の胴部を有するアイレス針、鈍い針先部から断面が円形の胴部を有するアイレス針、針先部から胴部にかけて湾曲した形状を有するアイレス針、針先部から胴部にかけて直線状に形成されたアイレス針、等がある。
【００１９】
アイレス針の太み（元端部の外径）は、最も細いもので０．０５ｍｍ、最も太いもので１．７８ｍｍに設定されており、前記範囲の中で、０．０２ｍｍ間隔又は０．０３ｍｍ間隔で多数のサイズのものが用意されている。同様にアイレス針の元端面に形成される穴の径もアイレス針の太みに対応させて、例えば、アイレス針の太みが０．４３ｍｍの場合、穴径は０．２６ｍｍに設定され、深さは１．１ｍｍ以上になるように設定されている。
【００２０】
アイレス針の材料は特に限定するものではなく、生体組織を刺し通す際の刺通抵抗に対抗し得る強度と、刺通抵抗を小さくするために必要な切開性能を確保し得るものであれば良い。このような材料としては、炭素工具鋼に代表される鋼、ステンレス鋼等があり、これらを選択的に利用することが可能である。特に、流通過程で錆が生じることのないオーステナイト系ステンレス鋼を採用することが好ましい。このオーステナイト系ステンレス鋼の場合、熱処理による硬化を期待し得ないため、オーステナイト系ステンレス鋼の素材を冷間加工することによって硬化させることが望ましい。
【００２１】
アイレス針の元端面に穴を形成する際の加工方法は特に限定するものではなく、元端面にレーザ光を照射して穴を形成するレーザ加工法やドリリング法、或いは放電加工法や電子ビーム法等の加工方法を選択的に採用することが可能である。
【００２２】
マルチフィラメント糸は、患部の生体組織を縫合し或いは結紮するものであり、極めて細い多数の繊維を編んで、或いは撚って形成されている。マルチフィラメント糸の材質としては、生体に悪影響を与えることのないものであれば良く、例えばシルクやポリエステル或いはナイロン等を好ましく使用することが可能である。しかし、本発明では材質を限定するものではなく、縫合糸として利用することが可能なマルチフィラメント糸であれば採用することが可能である。
【００２３】
マルチフィラメント糸は、サイズが１〜５、１−０〜１１−０等が規定されている。例えば、サイズ１は糸径が０．５ｍｍ、サイズ５は糸径が０．８ｍｍに設定され、サイズ１−０は糸径が０．４ｍｍ、サイズ１１−０は糸径が０．０１９ｍｍに設定されている。このように、マルチフィラメント糸は多数のサイズのものが提供されている。
【００２４】
従って、アイレス針の太みや穴径に対応させて、より太みのあるマルチフィラメント糸を選択して接合させることで、アイレス針とマルチフィラメント糸との段差を小さくすることが可能となる。
【００２５】
マルチフィラメント糸の一部の繊維を除去するに際し、除去する部分や長さを限定するものではなく、マルチフィラメント糸の軸心に沿って（長手方向に）アイレス針に形成された穴の深さに対応させた長さ（穴の深さよりも充分に長く）分に相当する繊維を除去すれば良い。例えばマルチフィラメント糸が、芯となる糸（芯糸）を有する編み糸或いは撚り糸である場合、この芯糸を引き出して切断して除去することで良く、また芯糸の有無に関わらず、編んである繊維、或いは撚ってある繊維を引き出して切断して除去することでも良い。
【００２６】
またマルチフィラメント糸の太み方向に対する繊維の除去量も特に限定するものではないが、糸径のサイズを１ランク〜３ランク程度落とすことが可能な除去量であることが好ましい。例えば、サイズ３−０（糸径０．２５ｍｍ）のマルチフィラメント糸の繊維の一部を除去して、除去部分の太みをサイズ４−０（糸径０．２ｍｍ）、或いはサイズ５−０（糸径０．１５ｍｍ）程度にすることが好ましい。
【００２７】
上記の如く、例えばサイズ３−０のマルチフィラメント糸の一部の繊維を除去して、除去部分の太みをサイズ４−０と同様にすることによって、サイズ３−０のマルチフィラメント糸をサイズ４−０のマルチフィラメント糸と同様に用いることが可能となる。
【００２８】
このため、本来、サイズ４−０のマルチフィラメント糸を用いるべき、例えば太みが０．４３ｍｍのアイレス針に対してサイズ３−０のマルチフィラメント糸を用いることが可能となり、この結果、マルチフィラメント糸の太みが０．２ｍｍから０．２５ｍｍに増加したこととなり、この差である０．０５ｍｍ分、針径と糸径の差が小さくなったことになる。
【００２９】
マルチフィラメント糸の一部の繊維を除去したとき、この除去部分をそのままの状態でアイレス針の元端面に形成された穴に挿入してかしめることが可能である。しかし、挿入する際の作業を容易に行えるように、繊維を除去した部分を生体に悪影響を与えることのない接着剤を塗布して硬化させておくことが好ましい。特に、繊維を除去した部分に引張力を付与した状態で接着剤を塗布して硬化させることで、除去部位の太みを合理的に保持することが可能となる。
【００３０】
アイレス針の元端面に形成した穴にマルチフィラメント糸の繊維を除去した部分を挿入してかしめるに際し、如何なる工具を用いるかは限定するものではない。しかし、一対の相対的に離隔，接近し得るように構成された成形型を用いて、一工程でかしめるようにすることが好ましい。
【実施例１】
【００３１】
次に、本発明に係る針付縫合糸の構成について図を用いて説明する。図１は針付縫合糸Ａの構成を説明する図である。図に示す針付縫合糸Ａは、アイレス針１とマルチフィラメント糸２とが接合されて構成されている。
【００３２】
アイレス針１には、図示しない針先部が形成され、該針先部に連続して胴部１ａが、胴部１ａの端部に元端面１ｂが形成されている。また元端面１ｂから軸心に沿って所定の径と深さを持った穴１ｃが形成されており、該穴１ｃに対応する部分がかしめ部１ｄとして形成されている。
【００３３】
マルチフィラメント糸２は編み糸或いは撚り糸によって構成され、元の太みを持った糸部２ａと、糸部２ａの端部に繊維の一部が除去された縮径部２ｂが形成されている。そして縮径部２ｂがアイレス針１の穴１ｃに挿入され、且つかしめ部１ｄがかしめられることで、アイレス針１とマルチフィラメント糸２が接合し、これにより、針付縫合糸Ａが構成されている。
【００３４】
本実施例に於いて、アイレス針１の胴部１ａの太みは０．４３ｍｍに設定されており、穴１ｃの径は０．２６ｍｍ（壁厚は約０．０８ｍｍ）に設定されている。またマルチフィラメント糸２はサイズ３−０を用い糸部２ａの太みは０．２５ｍｍに設定されている。そして、マルチフィラメント糸２の縮径部２ｂは、穴１ｃの径に対応させてサイズ４−０と等しい太みとなるように０．２ｍｍに設定されている。
【００３５】
マルチフィラメント糸２の縮径部２ｂがアイレス針１に形成された穴１ｃに挿入され、該穴１ｃの深さに対応させて元端面１ｂ側をかしめてかしめ部１ｄを形成することで、マルチフィラメント糸２がアイレス針１に接合され、針付縫合糸Ａが構成されている。
【００３６】
アイレス針１に於けるかしめ部１ｄの太みはかしめの際に用いるかしめ型によって規定される。このかしめ型はアイレス針１の胴部１ａの太みに対応させて予め複数種のものが設定されている。そして、本実施例に係る太みが０．４３ｍｍのアイレス針１をかしめたとき、かしめ部１ｄの太みが０．３４ｍｍになるように設定されている。
【００３７】
かしめ部１ｄに於ける縮径寸法は、針付縫合糸Ａによって患部を縫合し或いは結紮する際に作用する引張力を想定し、この引張力をマルチフィラメント糸２に作用させたときに離脱することのない保持力を発揮し得るような値に設定されている。
【００３８】
通常、太みが０．４３ｍｍのアイレス針にはサイズ４−０のマルチフィラメント糸が適用される。従って、アイレス針の太み０．４３ｍｍと、サイズ４−０のマルチフィラメント糸の太み０．２ｍｍとを接合させたかしめ部の太みを０．３４ｍｍに設定した針付縫合糸では、両者の間に０．１４ｍｍの差が生じる。
【００３９】
本実施例では、サイズ３−０のマルチフィラメント糸１を太みが０．４３ｍｍのアイレス針１に適用することで、針付縫合糸Ａに於けるアイレス針１の元端部の太み（０．３４ｍｍ）とマルチフィラメント糸２の糸部２ａの太み（０．２５ｍｍ）との差が０．０９ｍｍとなる。即ち、通常の使い方をした針付縫合糸の差と比較して０．０５ｍｍの差を解消したこととなる。
【００４０】
このため、弾力性の期待し得ない患部を縫合し、或いは結紮したとき、アイレス針１が通過した部位から血液や体液が滲み出すことを防ぐことが可能となる。
【実施例２】
【００４１】
次に、本発明に係る針付縫合糸Ａを製造する際の好ましい方法について図を用いて説明する。図２はマルチフィラメント糸から繊維の一部を除去する手順を説明する図である。図３は繊維の一部を除去したマルチフィラメント糸をアイレス針の穴に結合する手順を説明する図である。尚、本実施例に於いて、前述の実施例と同一の部分及び同一の機能を有する部分には同一の符号を付して説明を省略する。
【００４２】
先ず、図２によりマルチフィラメント糸２の一部の繊維を除去する手順について説明する。図に示すマルチフィラメント糸２は細い繊維を編んだ編み糸として構成されており、中心に芯糸２ｃ（同図（ｂ）参照）が設けられている。即ち、芯糸２ｃの周囲を編み部２ｄによって覆うことでマルチフィラメント糸２が形成されている。
【００４３】
上記マルチフィラメント糸２を目的の針付縫合糸Ａを構成するマルチフィラメント糸２の長さの約２倍の長さに切断しておき、切断されたマルチフィラメント糸２の長さ方向の略中央部分をまっすぐにしておく（同図（ａ）参照）。
【００４４】
次いで、同図（ｂ）に示すように、針状の工具１１を利用してマルチフィラメント糸２の編み部２ｄを構成する繊維を広げ、広げた隙間から図示しないピンセット等を差し込んで芯糸２ｃを引っ張り出す。このとき、芯糸２ｃの引っ張り出す長さは、縮径部２ｂの長さの約２倍程度か、この値よりも大きいこと（例えば５ｍｍ〜１０ｍｍ程度）が好ましい。
【００４５】
その後、同図（ｃ）に示すように、引っ張り出した芯糸２ｃを切断して除去する。これにより、マルチフィラメント糸２から一部の繊維が除去されたことになる。次いで、同図（ｄ）に示すように、マルチフィラメント糸２に引張力を作用させることで、編み部２ｄを伸長させる。
【００４６】
上記手順を経ることによって、一部の繊維を除去したマルチフィラメント糸２が用意される。
【００４７】
次に、図３により一部の繊維を除去したマルチフィラメント糸２をアイレス針１に結合させて針付縫合糸Ａを構成する手順について説明する。同図（ａ）に示すように、マルチフィラメント糸２に引張力を作用させることによって、芯糸２ｃを除去した部分を縮径し、この部分に接着剤を塗布して固める。
【００４８】
次に、同図（ｂ）に示すように、固められた縮径部分を略中央で斜めに切断し、夫々端部に接着剤によって硬化した縮径部２ｂを有する２本のマルチフィラメント２を構成する。このように、予め接着剤を塗布して固めた縮径部２ｂを形成しておくことで、後工程でアイレス針１の穴１ｃに縮径部２ｂを挿入する際の作業を容易に進めることが可能となる。
【００４９】
次に、同図（ｃ）に示すように、アイレス針１の穴１ｃにマルチフィラメント糸２を対向させて縮径部２ｂを挿入する。その後、同図（ｄ）に示すように、所定のかしめ型を利用して穴１ｃに対応する部分をかしめることでアイレス針１とマルチフィラメント糸２を接合させ、これにより、針付縫合糸Ａが構成される。
【実施例３】
【００５０】
次に、本発明に係る針付縫合糸Ａを製造する際の他の方法の例について図を用いて説明する。図４はマルチフィラメント糸から繊維の一部を除去する手順を説明する図である。図５は繊維の一部を除去したマルチフィラメント糸をアイレス針の穴に接合する手順を説明する図である。図に示すマルチフィラメント糸２は芯糸２ｃの周囲を編み部２ｄによって覆うことで形成された編み糸として構成されている。
【００５１】
この実施例では、マルチフィラメント糸２を予め目的の針付縫合糸Ａを構成するマルチフィラメント２の長さに略等しく切断しておき、このマルチフィラメント糸２の端部に縮径部２ｂを形成するものである。
【００５２】
先ず、図４（ａ）に示すように、マルチフィラメント糸２の端部の切断面に於ける編み部２ｄにマルチフィラメント糸２の中央側方向への力を作用させて該編み部２ｄを寄せる。この結果、同図（ｂ）に示すように、芯糸２ｃが相対的に飛び出すことになり、この突出した部分を所定の長さ（アイレス針１の穴１ｃの深さに加え、後述する接着剤塗布工程で把持するための把持代と切り代を考慮した長さ）に切断する（同図（ｃ）参照）ことで、一部の繊維を除去する。
【００５３】
その後、マルチフィラメント糸２の端部をしごいて、中央側に寄せておいた編み部２ｄを初期の状態に戻す。これにより、マルチフィラメント糸２の端部には芯糸２ｃが除去された部分が形成される。即ち、マルチフィラメント糸２の一部の繊維が除去されたこととなる。
【００５４】
次に図５により上記マルチフィラメント糸２をアイレス針１に接合する手順について説明する。図４に示す手順によって、同図（ａ）に示すように、マルチフィラメント糸２の端部から芯糸２ｃが除去されている。
【００５５】
同図（ｂ）に示すように、マルチフィラメント糸２の編み部２ｄの自由端を把持して引張力を作用させて伸長させると、芯糸２ｃが除去されているため、編み部２ｄの太みが減少して縮径される。この状態を保持して編み部２ｄに接着剤を塗布して固めることで、マルチフィラメント糸２の端部に縮径部２ｂが形成される。縮径部２ｂが充分に固まった後、同図（ｃ）に示すように、斜めに切断しておく。
【００５６】
次に、同図（ｄ）に示すように、アイレス針１の穴１ｃにマルチフィラメント糸２を対向させて縮径部２ｂを挿入する。その後、同図（ｅ）に示すように、所定のかしめ型を利用して穴１ｃに対応する部分をかしめることでアイレス針１とマルチフィラメント糸２を接合させ、これにより、針付縫合糸Ａが構成される。
【００５７】
尚、上記各実施例では、芯糸２ｃを有するマルチフィラメント糸２を用いた場合について説明したが、芯糸２ｃを有することのないマルチフィラメント糸２を採用する場合は、該マルチフィラメント糸２に於ける縮径部２ｂに対応する部位の外周部分の繊維、或いは内部の繊維をナイフ等の刃物によって切断し、ピンセット等によってつまみ出すことで一部の繊維を除去することが可能である。この場合、繊維の切断部分がバラバラにならないように、充分に接着剤によって固めておくことが好ましい。
【産業上の利用可能性】
【００５８】
上記の如き本発明の針付縫合糸Ａは、アイレス針１のかしめ部１ｄとマルチフィラメント糸２の糸部２ａとの差が小さくなるため、アイレス針１が生体組織を通過した後、円滑にマルチフィラメント２が通過することが可能となる。またかしめ部１ｄとマルチフィラメント糸２との差が小さいことから、血管を結紮する場合であっても、アイレス針１が通過した後、通過部位から血液が滲み出すことを防ぐことが可能となる。このため、生体組織の縫合や結紮に際し、極めて有効に利用することが可能である。
【図面の簡単な説明】
【００５９】
【図１】針付縫合糸Ａの構成を説明する図である。
【図２】マルチフィラメント糸から繊維の一部を除去する手順を説明する図である。
【図３】繊維の一部を除去したマルチフィラメント糸をアイレス針の穴に接合する手順を説明する図である。
【図４】マルチフィラメント糸から繊維の一部を除去する手順を説明する図である。
【図５】繊維の一部を除去したマルチフィラメント糸をアイレス針の穴に接合する手順を説明する図である。
【符号の説明】
【００６０】
Ａ                        針付縫合糸
１                        アイレス針
１ａ                      胴部
１ｂ                      元端面
１ｃ                      穴
１ｄ                      かしめ
２                        マルチフィラメント糸
２ａ                      糸部
２ｂ                      縮径部
２ｃ                      芯糸
２ｄ                      編み部
１１                      工具
【図１】
2006061453.tif 000003
【図２】
2006061453.tif 000004
【図３】
2006061453.tif 000005
【図４】
2006061453.tif 000006
【図５】
2006061453.tif 000007